(57)【要約】【課題】  傾くことなく正立させて吊り上げて移動させることができる電子機器、この電子機器を備えた制御盤、および電子機器の収納方法を提供する。  【解決手段】  本発明の電子機器は、筐体に吊り上げ用の吊穴２２ａ，２２ｂが設けられたもので、筐体２１の背面側に上部が開閉する開閉カバー２３を設け、この上に筐体２１を吊り上げた時バランスをとるバランスウェイト２５を設けたものである。また、開閉カバー２３は、断面形状を略Ｕ字形にしてもよく、筐体２１にヒンジ２４を介して連結してもよい。【選択図】    図１
2008187849.tif 000002
【特許請求の範囲】
【請求項１】
筐体に吊り上げ用の吊穴が設けられた電子機器において、
前記筐体の背面側に上部が開閉する開閉カバーを設け、この上に前記筐体を吊り上げた時バランスをとるバランスウェイトを設けたことを特徴とする電子機器。
【請求項２】
前記開閉カバーは、断面形状が略Ｕ字形であることを特徴とする請求項１記載の電子機器。
【請求項３】
前記開閉カバーと前記筐体とはヒンジを介して連結されていることを特徴とする請求項１記載の電子機器。
【請求項４】
前記開閉カバーの反ヒンジ側に前記バランスウェイトを脱着する着脱固定具を設けたことを特徴とする請求項１記載の電子機器。
【請求項５】
前記開閉カバーに前記バランスウェイトの位置を微調整し、重心の位置を変える重心調整部を設けたことを特徴とする請求項１記載の電子機器。
【請求項６】
請求項１から５のいずれかに記載の電子機器を含むことを特徴とする制御盤。
【請求項７】
電子機器を吊り上げて移動させ、制御盤の内部へ設置する電子機器の収納方法において、
前記電子機器の前記筐体の背面側に設けた開閉カバーの上部を開いて水平にし、前記電子機器の吊穴に吊り上げ部材を接続して吊り上げ、前記開閉カバーに設けたバランスウェイトによりバランスをとり、前記電子機器を移動させて前記制御盤の内部へ収納することを特徴とする電子機器の収納方法。
【請求項８】
前記電子機器を吊り上げる際に、前記バランスウェイトの位置を調整してバランスをとることを特徴とする請求項６記載の電子機器の収納方法。
【発明の詳細な説明】
【技術分野】
【０００１】
本発明は、重量の大きい電子機器、例えばインバータ装置等を傾くことなく正立させて吊り上げて移動させることのできる電子機器とこの電子機器を備えた制御盤、および電子機器の収納方法に関する。
【背景技術】
【０００２】
従来の電子機器の制御盤への収納方法として、制御盤の上方にチェーンブロック等を設置して重量の大きい電子機器を制御盤内に吊り込んで設置する方法、昇降装置に電子機器を載せて移動させて制御盤内に設置する方法、制御盤を横倒しにして設置する方法などが提案されている（例えば、特許文献１参照）。
【０００３】
従来の電子機器の制御盤への収納方法を図４に示す。図４は、従来の吊り込み方法による電子機器の設置方法を模式的に示す立面図である。図において、１は制御盤、２は電子機器、３は吊り上げ部である。吊り上げ部３は、吊り込みヤード３１、チェーンブロック  ３２、ロープ３３からなる。Ｇは電子機器２の重心である。制御盤１の上方に吊り込みヤード３１を設置し、吊り込みヤード３１にチェーンブロック３２を取り付け、電子機器２の上部にある吊穴２２ａとをロープ３３で繋ぐ。チェーンブロック３２でロープ３３を少しずつ巻き取っていくと、電子機器２は上方に上がって行きながら制御盤１の中に引き込まれて行く。電子機器２が取り付け位置に達した時、チェーンブロック３２の巻取りをやめ、制御盤１に電子機器２を固定し、設置を完了する。
【特許文献１】特開２００4−２３８１５号公報（段落００２７、図４）
【発明の開示】
【発明が解決しようとする課題】
【０００４】
ところが、従来の電子機器では、図５に示すように電子機器２の重心Ｇが必ずしも吊穴２２ａ，ｂと同一の平面上にあるとは限らないため、吊穴２２ａにロープ３３を接続して上方に引き上げると傾いた状態になる。吊り込む方法で電子機器２を設置しようとすると、傾いた状態で制御盤１内に吊り込まれて行き、固定する際には人力や別に用意した保持装置・機構を利用して正立させるため、取り付け作業は著しく困難である。
本発明はこのような問題点に鑑みてなされたものであり、傾くことなく正立させて吊り上げて移動させることができる電子機器、この電子機器を備えた制御盤、および電子機器の収納方法を提供することを目的とする。
【課題を解決するための手段】
【０００５】
上記問題を解決するため、本発明は、次のように構成したものである。
請求項１に記載の発明は、筐体に吊り上げ用の吊穴が設けられた電子機器において、
前記筐体の背面側に上部が水平に開閉する開閉カバーが設けられ、この上に前記筐体を吊り上げた時バランスをとるバランスウェイトを設けたものである。
請求項２に記載の発明は、前記開閉カバーの断面形状を略Ｕ字形にしたものである。
請求項３に記載の発明は、前記開閉カバーと前記筐体とがヒンジを介して連結されたものである。
請求項４に記載の発明は、前記開閉カバーの反ヒンジ側に前記バランスウェイトを脱着する着脱固定具を設けたものである。
請求項５に記載の発明は、前記開閉カバーに前記バランスウェイトの位置を微調整し、重心の位置を変える重心調整部を設けたものである。
請求項６に記載の発明は、請求項１から５のいずれかに記載の電子機器を含む制御盤である。
請求項７に記載の発明は、制御盤の内部へ、電子機器を吊り上げて移動させる前記電子機器の収納方法において、前記電子機器の前記筐体の背面側に設けられた開閉カバーの上部を水平に開閉し、前記電子機器の吊穴に吊り上げ部材を接続して吊り上げ、前記開閉カバーに設けられたバランスウェイトによりバランスをとりながら移動させ、前記電子機器を収納する方法である。
請求項８に記載の発明は、前記電子機器を吊り上げる際に前記バランスウェイトの位置を調整してバランスをとるようにしたものである。
【発明の効果】
【０００６】
請求項１、３に記載の発明によると、背面側のカバーを開くことで正立する電子機器の吊穴を通る鉛直方向の平面上に電子機器の重心位置を移動させることができる。また、電子機器を吊り上げる場合にだけバランスウェイトを取り付けるようにすることで、開閉カバー自体が軽量になり開閉操作を小さい力で行えるだけでなく、吊り上げ時以外の運搬、設置重量を軽減して取り扱うことができる。
請求項２に記載の発明によると、開閉カバーの剛性を高めることができ、カバーを開いた際のバランスウェイトの重量によるカバーの変形を抑えるための補強部品が削減できる。
請求項４に記載の発明によると、吊り上げ時以外の運搬、設置重量を軽減して取り扱うことができる。
請求項５に記載の発明によると、電子機器の正立度をさらに向上できる。
請求項６に記載の発明によると、制御盤の寸法を小さくでき、かつコストも低減できる。
請求項７、８に記載の発明によると、傾くことなく正立させて電子機器を吊り上げて移動することができ、人手や別の保持装置を使用せずに制御盤内に電子機器を正立させて移動し、保持・固定して設置することができる。
【発明を実施するための最良の形態】
【０００７】
以下、本発明の実施の形態について図を参照して説明する。
【実施例１】
【０００８】
図１は、本発明の実施例１を示す電子機器の斜視図、図２は、その側面図である。図において、２は電子機器であり、筐体２１、吊穴２２ａ，２２ｂ、開閉カバー２３、ヒンジ２４、バランスウェイト２５からなっている。バランスウェイト２５は、例えば、５Ｋｇ、１０Ｋｇと重量の種類を変えてもよいし、組み合わせた重量にしてもよい。
筐体２１の背面側には、上側の吊穴２２ａ，下側の吊穴２２ｂが設けられている。開閉カバー２３は、略Ｕ字形のとなっており下側の吊穴２２ｂの近傍に設けたヒンジ２４により筐体２１に連結されている。開閉カバー２３の反ヒンジ側にはバランスウェイト２５が、着脱固定具(図示せず)により取り付けられている。着脱固定具としては、例えば、ネジでの機械的締結にしてもよいし、磁力による磁気固定にしてもよい。また、開閉カバー２３の着脱固定具には、バランスウェイト２５の位置を移動させて重心Ｇの位置を微調整する重心調整部（図示せず）が設けられている。重心調整部としては、開閉カバー２３の長手方向に設けた長穴とネジ締結との組み合わせにしてもよいし、開閉カバー２３の長手方向に設けたスケールと磁気式固定との組み合わせにしてもよい。
【０００９】
本発明が従来技術と異なる部分は、電子機器の背面側が下側ヒンジ付きの開閉カバーとなっており、その反ヒンジ側にバランスウェイトを取り付けることで電子機器の重心位置を移動させることができる部分である。
【００１０】
次に、動作について説明する。
（１）電子機器２の重心Ｇは吊穴２２ａ，２２ｂを通る鉛直方向の平面上には位置せず、やや前寄りの位置にある。
（２）開閉カバー２３を開く。
（３）開閉カバー２３の反ヒンジ側の着脱固定具にバランスウェイト２５を取り付ける。
これにより、重心Ｇは後方に移動する（図２の矢印の方向）。
電子機器２の重量、重心位置に応じてバランスウェイト２５の重量、取り付け位置を選択することにより、正立する電子機器２の吊穴２２ａを通る鉛直方向の平面上に電子機器の重心位置２１を一致させることができる。このように、重心Ｇを調整することで、電子機器２を傾けることなく正立させて吊り上げることができる。
【００１１】
バランスウェイトは電子機器の運搬中や設置後には取り外しておくことで、開閉カバー自体が軽量になり開閉操作を小さい力で行えるだけでなく、電子機器の重量を軽減して取り扱うことができる。また、開閉カバーは略Ｕ字形に形成することで、剛性が高められておりバランスウェイトを取り付けた場合の撓みを抑えているので、カバーの変形防止のための補強部品を削減できる。さらに、本実施例の電子機器を用いれば、小型で、コストを低減した制御盤を得ることができる。
【実施例２】
【００１２】
図３は本発明の実施例２を示す斜視図であり、電子機器２を制御盤１に設置する方法を示している。図において、１は電子機器２を設置する制御盤、３３は電子機器２を吊り上げるロープである。
制御盤１の中に電子機器２を設置するには、次のようにする。
（１）電子機器２の開閉カバー２３を開いてバランスウェイト２５を取り付ける。
（２）吊穴２２ａにロープ３３を接続する。
（３）天井クレーン等（図示せず）でロープ３３を巻き上げ、電子機器２を少し吊り上げる。この際、電子機器２が正立しない場合はバランスウェイト２５の位置を微調整し、重心の位置を変える重心調整部にて調整し、電子機器２を正立させる。
（４）電子機器２を正立させて吊り上げて制御盤１内へ移動し、設置を行う。
このようにすることにより、電子機器２は人手や別の保持装置に頼ることなく、制御盤１内への移動、設置を容易に行うことができる。また、制御盤を新設する場合に限らず、保守や故障による電子機器の交換時にも撤去、設置作業が容易に行えるので、短時間で交換を完了でき、短時間で復旧、運転させることができる。さらに、制御盤内の吊り込みヤードが不要になるので制御盤を小型化できる。
【図面の簡単な説明】
【００１３】
【図１】本発明の実施例１を示す電子機器の斜視図
【図２】図１の側面図
【図３】本発明の実施例２である電子機器の設置方法を示す全体斜視図
【図４】従来の吊り込み方法による電子機器の設置方法を模式的に示す立面図
【図５】従来の吊り込み方法により電子機器を吊り上げた状態を示す側面図
【符号の説明】
【００１４】
１  制御盤
２  電子機器
２１  筐体
２２ａ，２２ｂ  吊穴
２３  開閉カバー
２４  ヒンジ
２５  バランスウェイト
３    吊り上げ部
３１  吊り込みヤード
３２  チェーンブロック
３３  ロープ
Ｇ  電子機器の重心
【図１】
2008187849.tif 000003
【図２】
2008187849.tif 000004
【図３】
2008187849.tif 000005
【図４】
2008187849.tif 000006
【図５】
2008187849.tif 000007